(57)【要約】【課題】  制御所で電力系統の電圧の調整を行ったときに、他の制御所に影響を及ぼすことを防止することができる電圧調整システムを提供することを課題とする。【解決手段】  電力系統の電圧を調整する電圧調整設備を操作する複数の制御所のうちの何れかの制御所で操作する対象となる電圧調整設備が選択されたときに、当該電圧調整設備を操作した後の電力系統の電圧値を各制御所で予測する電圧予測機能２と、該電圧予測機能２で予測した電圧値である予測電圧値が予め設定される電圧値である目標電圧値に対応していなければ、予測電圧値と目標電圧値とが対応するように電圧調整設備を操作する電圧調整機能４とを備えることを特徴とする。【選択図】図２
2014138471.tif 000002
【特許請求の範囲】
【請求項１】
電力系統の電圧を調整する電圧調整設備を操作する複数の制御所のうちの何れかの制御所で操作する対象となる電圧調整設備が選択されたときに、当該電圧調整設備を操作した後の電力系統の電圧値を各制御所で予測する電圧予測機能と、該電圧予測機能で予測した電圧値である予測電圧値が予め設定される電圧値である目標電圧値に対応していなければ、予測電圧値と目標電圧値とが対応するように電圧調整設備を操作する電圧調整機能とを備えることを特徴とする電圧調整システム。
【請求項２】
電圧予測機能は、電圧調整機能が実行された後に各制御所での電力系統の電圧値を再度予測するようになっている請求項１に記載の電圧調整システム。
【請求項３】
複数の制御所のうちの何れかの制御所で操作する対象となる電圧調整設備が選択されたときに、各制御所における他の制御所の電圧調整設備への操作を規制し、選択された電圧調整設備が操作された後に各制御所における他の制御所の電圧調整設備への操作に対する規制を解除するロック機能を備える請求項１又は２に記載の電圧調整システム。
【発明の詳細な説明】
【技術分野】
【０００１】
本発明は、電力系統の電圧値を適正な値で維持するための電圧調整システムに関する。
【背景技術】
【０００２】
従来から、発電所の電力は、電力系統を通じて需要家に供給されている。電力系統は、電圧を調整するための電圧調整設備と、該電圧調整設備を操作するための複数の制御所とを備えている。
【０００３】
そして、電力系統では、需要家に安定した電力を供給するための電圧値（以下、目標電圧値とする）が予め設定されており、制御所から電圧調整設備を操作して電力系統の電圧値を調整することで、電力系統の電圧値を目標電圧値に対応させている。
【０００４】
このような電力系統では、より確実に電力系統の電圧値を適正な値で維持するための電圧調整システムが用いられている。かかる電圧調整システムには、例えば、電力系統の電圧が上昇または低下して変動したときに、該電力系統の電圧を制御するようなものがある（例えば、特許文献１参照）。
【先行技術文献】
【特許文献】
【０００５】
【特許文献１】特開平２０１２−２３９２４４号公報
【発明の概要】
【発明が解決しようとする課題】
【０００６】
ところで、上述のような電力系統では、各制御所が独立して電力系統の電圧値の調整を行っている。そのため、複数の制御所のうちの何れかの制御所で行われた電力系統の電圧値の調整の影響が他の制御所（特に隣接する制御所）に及ぶことがある。
【０００７】
そのため、上述のような電圧調整システムを用いたとしても、例えば、複数の制御所のうちの何れかの制御所で電力系統の電圧値を上昇させる一方で、他の制御所で電力系統の電圧値を降下させた場合、各制御所での電力系統の電圧値の調整が互いに影響を及ぼし合う結果、各制御所での電力系統の電圧値を目標電圧値に対応させることができなくなることがある。
【０００８】
そこで、本発明は、斯かる実情に鑑み、制御所で電力系統の電圧の調整を行ったときに、他の制御所に影響を及ぼすことを防止することができる電圧調整システムを提供することを課題とする。
【課題を解決するための手段】
【０００９】
本発明に係る電圧調整システムは、電力系統の電圧を調整する電圧調整設備を操作する複数の制御所のうちの何れかの制御所で操作する対象となる電圧調整設備が選択されたときに、当該電圧調整設備を操作した後の電力系統の電圧値を各制御所で予測する電圧予測機能と、該電圧予測機能で予測した電圧値である予測電圧値が予め設定される電圧値である目標電圧値に対応していなければ、予測電圧値と目標電圧値とが対応するように電圧調整設備を操作する電圧調整機能とを備えることを特徴とする。
【００１０】
上記構成の電圧調整システムによれば、複数の制御所のうちの何れかの制御所で電圧調整設備が選択されると、当該電圧調整設備を操作した後の各制御所で電力系統の電圧値が予測される。そして、予測電圧値と目標電圧値とが対応していない制御所では、電圧調整機能によって予測電圧値と目標電圧値とが対応するように電圧調整設備が操作される。そのため、各制御所での電力系統の電圧値が目標電圧値に対応するようにしたうえで、制御所で選択された機器を実際に操作することができる。
【００１１】
また、本発明の一態様として、電圧予測機能は、電圧調整機能が実行された後に各制御所での電力系統の電圧値を再度予測するようになっている。
【００１２】
このようにすれば、電圧調整機能によって電圧調整設備が操作された後に、各制御所での電力系統の電圧値を再度予測することができるため、選択された電圧調整設備を実際に操作することによって、各制御所での電力系統の電圧値をより確実に目標電圧値に対応させることができる。
【００１３】
また、本発明の他態様として、複数の制御所のうちの何れかの制御所で操作する対象となる電圧調整設備が選択されたときに、各制御所における他の制御所の電圧調整設備への操作を規制し、選択された電圧調整設備が操作された後に各制御所における他の制御所の電圧調整設備への操作に対する規制を解除するロック機能を備える。
【００１４】
このようにすれば、電圧調整機能によって予測電圧値と目標電圧値とが対応するように電圧調整設備を操作する際に、制御所同士が互いに電圧調整設備を操作し合うことを防止できる。従って、選択された電圧調整設備が実際に操作されたときに、各制御所での電力系統の電圧値をより確実に目標電圧値に対応させることができる。
【発明の効果】
【００１５】
以上のように、本発明の電圧調整システムによれば、制御所で電力系統の電圧の調整を行ったときに、他の制御所に影響を及ぼすことを防止することができるという優れた効果を奏し得る。
【図面の簡単な説明】
【００１６】
【図１】図１は、本発明の一実施形態に係る電力系統の概要図である。
【図２】図２は、同実施形態に係る電圧調整システムの概要図である。
【図３】図３は、同実施形態に係る電圧調整システムのフローチャートである。
【図４】図４は、同実施形態に係る電圧調整システムのフローチャートであって、先行調整機能の動作のフローチャートである。
【図５】図５は、同実施形態に係る電圧調整システムのフローチャートであって、電圧調整機能の動作のフローチャートである。
【発明を実施するための形態】
【００１７】
以下、本発明の一実施形態に係る電圧調整システムについて、添付図面を参照しつつ説明を行う。まず、電圧調整システムの説明に先立ち、電力系統についての説明を行う。
【００１８】
図１に示すように、電力系統７には、複数の電圧調整設備と、該電圧調整設備を制御する複数の制御所とが繋がっている。また、電力系統７は、所定の範囲毎に区画された区間（本実施形態では、第一の区間Ａ１、第二の区間Ａ２、第三の区間Ａ３）が設定されている。そして、電力系統７には、予め定められている電圧値（以下、目標電圧値とする）が設定されている。なお、図示していないが、各制御所は、ネットワークによって互いに繋がっている。また、図１においては、電力系統の構成のうちの電圧調整システムの説明に必要な構成を抽出して図示している。
【００１９】
電圧調整設備は、調相設備（スタティックコンデンサＣ及びシャントリアクトルＲ）と、変圧器Ｔと、発電機Ｇとによって構成されている。
【００２０】
制御所のそれぞれは、互いに異なる電力系統７の区間に繋がっている。すなわち、複数の制御所は、第一の区間Ａ１に繋がる第一の制御所７１ａと、第二の区間Ａ２に繋がる第二の制御所７１ｂと、第三の区間Ａ３に繋がる第三の制御所７１ｃとによって構成されている。
【００２１】
そのため、各制御所は、自身が繋がる区間内の電圧調整設備、変圧器Ｔ、発電機Ｇを操作することができるようになっている。すなわち、第一の制御所７１ａは、第一の区間Ａ１内の電圧調整設備、変圧器Ｔを操作することができるようになっている。第二の制御所７１ｂは、第二の区間Ａ２内の電圧調整設備、変圧器Ｔを操作することができるようになっている。第三の制御所７１ｃは、第三の区間内Ａ３の電圧調整設備、変圧器Ｔを操作することができるようになっている。
【００２２】
電力系統７では、目標電圧値として、系統目標電圧値と、該系統目標電圧値とは別の目標電圧値である配変目標電圧値とが設定されている。なお、系統目標電圧値と、配変目標電圧値とは、例えば、送電線、変圧器、配電線のインピーダンスによる電圧の効果及び電圧の上昇を考慮して設定すればよい。
【００２３】
図２に示すように、本実施形態に係る電圧調整システム１は、電力系統７の電圧を調整する電圧調整設備を操作する複数の制御所のうちの何れかの制御所で操作する対象となる電圧調整設備が選択されたときに、当該電圧調整設備を操作した後の各制御所での電力系統７の電圧値を予測する電圧予測機能２を備えている。また、電圧調整システム１は、制御所で選択された電圧調整設備での電圧調整よりも効率良く電圧の調整を行うことができる電圧の調整方法を選出して実行する先行調整機能３を備えている。
【００２４】
なお、本実施形態において、選択とは、操作する対象となる電圧調整設備を選んだ状態であり、電圧調整設備を実際に操作する前の状態である。
【００２５】
そして、電圧調整システム１は、該電圧予測機能２で予測した電圧値である予測電圧値が予め設定される電圧値である目標電圧値に対応していなければ、予測電圧値と目標電圧値とが対応するように電圧調整設備を操作する電圧調整機能４を備えている。さらに、電圧調整システム１は、電圧調整機能４を実行した後に実行される主調整機能５を有する。
【００２６】
また、電圧調整システム１は、複数の制御所のうちの何れかの制御所で操作する対象となる電圧調整設備が選択されたときに、各制御所における他の制御所の電圧調整設備への操作を規制し、選択された電圧調整設備が操作された後に各制御所における他の制御所の電圧調整設備への操作に対する規制を解除するロック機能６を備えている。
【００２７】
電圧予測機能２は、電圧調整機能４が実行された後に各制御所での電力系統７の電圧値を再度予測するようになっている。また、電圧予測機能２は、電圧調整機能４が実行された後にも各制御所での電力系統７の電圧値を再度予測するようになっている。
【００２８】
先行調整機能３は、複数の制御所のそれぞれにおいて実行されるようになっている。具体的に説明すると、先行調整機能３は、発電機Ｇの無効電力が進相であるか否かを判断する第一の判断機能３０と、制御所で選択された電圧調整設備が無効電力の発生箇所及び消費箇所の近傍に位置しているか否かを判断する第二の判断機能３１と、制御所で選択された電圧調整設備を実際に操作したときに電力損失（有効電力・及び無効電力の損失）が生じるか否かを判断する第三の判断機能３２とを有する。
【００２９】
また、先行調整機能３は、制御所の電圧調整設備に対する選択を取り消す取消機能３３と、第一の判断機能３０、第二の判断機能３１、第三の判断機能３２の判断結果を基に、制御所で選択された電圧調整設備による電圧調整よりも効率良く電圧の調整を行うことができる電圧調整設備を表示する表示機能３４を有する。さらに、先行調整機能３は、表示機能３４によって表示された電圧調整設備を選択するための選択機能３５を有する。
【００３０】
第一の判断機能３０は、発電機Ｇの無効電力が進相であると判断したときに第二の判断機能３１を実行するようになっている。また、第一の判断機能３０は、発電機Ｇの無効電力が進相でないと判断したときに（すなわち、発電機Ｇの無効電力が遅相であると判断したときに）取消機能３３を実行するようになっている。
【００３１】
第二の判断機能３１は、制御所で選択された電圧調整設備が無効電力の発生箇所及び消費箇所の近傍に位置していると判断したときに第三の判断機能３２を実行するようになっている。また、第二の判断機能３１は、制御所で選択された電圧調整設備が無効電力の発生箇所及び消費箇所の近傍に位置していないと判断したときに取消機能３３を実行するようになっている。
【００３２】
第三の判断機能３２は、制御所で選択された電圧調整設備を実際に操作したときに電力損失（有効電力・及び無効電力の損失）が生じないと判断したときに電圧調整機能４を実行するようになっている。また、第三の判断機能３２は、制御所で選択された電圧調整設備を実際に操作したときに電力損失が生じると判断したときに取消機能３３を実行するようになっている。
【００３３】
取消機能３３は、制御所からの電圧調整設備に対する選択を取り消した後に、表示機能３４を実行するようになっている。
【００３４】
表示機能３４は、制御所で選択された電圧調整設備による電圧調整よりも効率良く電圧の調整を行うことができる電圧調整設備を各制御所に表示するようになっている。
【００３５】
選択機能３５は、表示機能３４が表示した電圧調整設備を承認するための承認機能３５０と、各制御所で電圧調整設備が承認されたときに表示機能３４で選択された電圧調整設備を選択することを決定する決定機能３５１とを有する。
【００３６】
なお、本実施形態における選択機能３５は、承認機能３５０として各制御所にボタンを表示するようにし、各制御所でボタンが押下されたときに、決定機能３５１が表示機能３４で表示した電圧調整設備を実際に選択することを決定するように構成することができる。また、選択機能３５は、表示機能３４で表示された電圧調整設備を所管する制御所から当該電圧調整設備を選択するように構成することができる。
【００３７】
電圧調整機能４は、各制御所の予測電圧値が系統目標電圧値及び配変目標電圧値のそれぞれに対応しているか否かを判定する逸脱判定機能４０と、逸脱判定機能４０が制御所の電力系統７の電圧値と配変目標電圧値とが対応していないと判定したときに実行される第一の電圧補正機能４１と、逸脱判定機能４０が制御所の電力系統７の電圧値と配変目標電圧値とが対応していないと判定したときに実行される第二の電圧補正機能４２とを有する。
【００３８】
第一の電圧補正機能４１は、各制御所での電力系統７の電圧値を再度予測する再予測機能４１０と、再予測機能４１０で予測した電圧値である再予測電圧値と系統目標電圧値とを対応させるように、予測電圧値と系統目標電圧値とが対応していない制御所の電力系統７の調相設備（本実施形態では、変圧器Ｔ）を操作する第一の変圧機能４１１とを有する。
【００３９】
また、第一の電圧補正機能４１は、第一の変圧機能４１１を実行するに先立ち、再予測電圧値と配変目標電圧値とが対応しているか否かを判定する判定機能４１２と、判定機能が再予測電圧値と配変目標電圧値とが対応していないと判定したときに、再予測電圧値と系統目標電圧値とが対応するように電力系統７の電圧調整設備を操作する第二の変圧機能４１３とを有する。
【００４０】
第二の電圧補正機能４２は、予測電圧値と配変目標電圧値とが対応していない区間の変圧器Ｔが自動制御のものであるか手動制御のものであるかを識別する識別機能４２０と、識別機能４２０が変圧器Ｔを自動制御のものであると判断したときに実行される第三の変圧機能４２１と、識別機能４２０が変圧器Ｔを手動制御のものであると判断したときに実行される通知機能４２２とを有する。
【００４１】
第三の変圧機能４２１は、予測電圧値と配変目標電圧値とを対応させるように、予測電圧値と配変目標電圧値とが対応していない制御所の変圧器Ｔを操作するようになっている。
【００４２】
通知機能４２２は、予測電圧値と配変目標電圧値とが対応していない制御所に対して、予測電圧値と配変目標電圧値とが対応していないことを通知するようになっている。すなわち、通知機能４２２は、制御所で選択した電圧調整設備又は選択機能３５によって選択された電圧調整設備を実際に操作すると、操作される電圧調整設備が繋がっている制御所の電力系統の電圧値が配変目標電圧値を逸脱することを通知するようになっている。
【００４３】
主調整機能５は、逸脱判定機能４０によって、各制御所の再予測電圧値が系統目標電圧値又は系統目標電圧値及び配変目標電圧値と対応していると判定されると、制御所で選択した電圧調整設備又は選択機能３５によって選択された電圧調整設備を操作することを各制御所に表示する操作設備表示機能５０と、制御所で選択した電圧調整設備又は選択機能３５によって選択された電圧調整設備が実際に操作されると、当該電圧調整設備に対する選択を取り消す復帰機能５１とを有する。
【００４４】
ロック機能６は、先行調整機能３の選択機能３５が実行される前（本実施形態では、表示機能３４が実行する前）に各制御所における他の制御所の電圧調整設備への操作に対する規制を解除するようになっている。また、ロック機能６は、決定機能３５１によって電圧調整設備が選択されたときにおいても、各制御所における他の制御所の電圧調整設備への操作を規制するようになっている。すなわち、電圧調整システム１では、電圧予測機能２の実行される度にロック機能６が実行されるようになっている。
【００４５】
本実施形態に係る電圧調整システム１は、以上の通りである。続いて、本実施形態に係る電圧調整システム１の動作について、添付図面を参照しつつ説明を行う。
【００４６】
図３に示すように、制御所から電圧調整設備（本実施形態では、第一の制御所７１ａからシャントリアクトルＲ）が選択されると（Ｓ１）、電圧予測機能２が選択された電圧調整設備（本実施形態では、第一の区間Ａ１のシャントリアクトルＲ）を操作した後の各制御所での電力系統７の予測電圧値を予測し（Ｓ２）、ロック機能６を実行する（Ｓ３）。そして、先行調整機能３（第一の判断機能３０）を実行する。
【００４７】
第一の判断機能３０が発電機Ｇの無効電力が進相であると判断すると（Ｓ４でＹＥＳ）、第二の判断機能３１が実行される（Ｓ５）。そして、第二の判断機能３１が制御所で選択された電圧調整設備が無効電力の発生箇所及び消費箇所の近傍に位置していると判断すると（Ｓ５でＹＥＳ）、第三の判断機能３２が実行される（Ｓ６）。さらに、第三の判断機能３２が制御所で選択された電圧調整設備を実際に操作したときに電力損失が生じないと判断すると（Ｓ６でＹＥＳ）、電圧調整機能４が実行される。
【００４８】
その一方で、第一の判断機能３０が発電機Ｇの無効電力が進相でないと判断したとき（Ｓ４でＮＯ）、又は第二の判断機能３１が制御所で選択された電圧調整設備が無効電力の発生箇所及び消費箇所の近傍に位置していないと判断したとき（Ｓ５でＮＯ）、又は第三の判断機能３２が制御所で選択された電圧調整設備を実際に操作したときに電力損失が生じると判断したとき（Ｓ６でＮＯ）は、図４に示すように、取消機能３３が制御所からの電圧調整設備に対する選択を取り消す（Ｓ８）。
【００４９】
そして、ロック機能６の制御所に対する規制を解除し（Ｓ９）、表示機能３４が制御所で選択された電圧調整設備による電圧調整よりも効率良く電圧の調整を行うことができる電圧調整設備を各制御所に表示する（Ｓ１０）。さらに、表示機能３４で表示された電圧調整設備を各制御所で承認機能３５０によって承認すると、決定機能３５１が表示機能３４で表示した電圧調整設備を実際に選択することを決定する（Ｓ１１）。
【００５０】
そして、選択機能３５によって電圧調整設備が選択されている状態で、電圧予測機能２を再び実行する（Ｓ２）。
【００５１】
図３に戻り、電圧調整機能４が実行されると、逸脱判定機能４０が各制御所の予測電圧値が系統目標電圧値及び配変目標電圧値のそれぞれに対応しているか否かを判定する（Ｓ１２）。逸脱判定機能４０が各制御所の予測電圧値が系統目標電圧値及び配変目標電圧値のそれぞれに対応していると判定すると（Ｓ１２でＹＥＳ）、主調整機能６を実行する（Ｓ１３）。
【００５２】
逸脱判定機能４０によって、各制御所の再予測電圧値が系統目標電圧値及び配変目標電圧値の少なくとも何れか一方と対応していないと判定されると（Ｓ１２でＮＯ）、第一の電圧補正機能４１を実行する。このとき、各制御所の再予測電圧値が少なくとも系統目標電圧値と対応していなければ（Ｓ１４でＹＥＳ）、再予測機能４１０が電力系統７の各区間における電圧値を予測する（Ｓ１５）。
【００５３】
そして、判定機能４１２によって、再予測電圧値と配変目標電圧値とが対応していると判定されると（Ｓ１６でＹＥＳ）、再予測電圧値と系統目標電圧値とが対応するように、第一の変圧機能４１１が予測電圧値と系統目標電圧値とが対応していない区間の変圧器Ｔを操作する（Ｓ１７）。
【００５４】
その一方で、判定機能４１２によって、各制御所の再予測電圧値が配変目標電圧値と対応していないと判定されると（Ｓ１６でＮＯ）、第一の変圧機能４１１を実行するに先立ち、第二の変圧機能４１３を実行する（Ｓ１８）。そして、再予測電圧値と配変目標電圧値とが対応するように、予測電圧値と配変目標電圧値とが対応していない区間の変圧器Ｔを操作する。
【００５５】
そして、逸脱判定機能４０によって、各制御所の再予測電圧値が配変目標電圧値のみと対応していないと判定されると（Ｓ１４でＮＯ）、第二の電圧補正機能４２を実行する。
【００５６】
識別機能４２０によって、第二の変圧機能４１３が予測電圧値と配変目標電圧値とが対応していない区間の変圧器Ｔが自動制御のものであると識別されると（Ｓ１９でＹＥＳ）、予測電圧値と配変目標電圧値とが対応するように、第三の変圧機能４２１が予測電圧値と配変目標電圧値とが対応していない区間の変圧器Ｔを操作する（Ｓ２０）。
【００５７】
識別機能４２０によって、第二の変圧機能４１３が予測電圧値と配変目標電圧値とが対応していない区間の変圧器Ｔが手動制御のものであると識別されると（Ｓ１９でＮＯ）、第三の変圧機能４２１が予測電圧値と配変目標電圧値とが対応していない区間に繋がる制御所に対して、通知機能４２２が予測電圧値と配変目標電圧値とが対応していないこと（すなわち、制御所で選択した電圧調整設備又は選択機能３５によって選択された電圧調整設備を実際に操作すると、操作される電圧調整設備が繋がっている電力系統の電圧値が配変目標電圧値を逸脱すること）を通知する（Ｓ２１）。
【００５８】
そして、通知を受けた制御所で変圧器Ｔを操作することで、予測電圧値を配変目標電圧値に対応させることができる。
【００５９】
このようにして、電圧調整機能４による電力系統７の電圧の調整を行った後に、電圧予測機能２を再度実行する（Ｓ２）。
【００６０】
図３に戻り、主調整機能６が実行されると（Ｓ１３）、制御所で選択した電圧調整設備又は選択機能３５によって選択された電圧調整設備を操作することを操作設備表示機能５０が各制御所に表示する。
【００６１】
そして、制御所で選択した電圧調整設備（又は選択機能３５によって選択された電圧調整設備）が実際に操作されると、復帰機能５１が当該電圧調整設備に対する選択を取り消す。さらに、ロック機能６が各制御所における他の制御所の電圧調整設備への操作に対する規制を解除する。
【００６２】
以上のように、本実施形態に係る電圧調整システム１によれば、複数の制御所のうちの何れかの制御所で電圧調整設備が選択されると、当該電圧調整設備を操作した後の各制御所で電力系統７の電圧値が予測される。そして、予測電圧値と目標電圧値とが対応していない制御所では、電圧調整機能４によって予測電圧値と目標電圧値とが対応するように電圧調整設備が操作される。
【００６３】
そのため、電力系統７の電圧値が目標電圧値に対応するようにしたうえで、制御所で選択された機器を実際に操作することができる。従って、制御所で電力系統７の電圧の調整を行ったときに、他の制御所に影響を及ぼすことを防止することができるという優れた効果を奏し得る。
【００６４】
また、電圧調整システム１では、電圧予測機能２が電圧調整機能４が実行された後に各制御所での電力系統７の電圧値を再度予測するようになっているため、電圧調整機能４によって電圧調整設備が操作された後に、各制御所での電力系統７の電圧値を再度予測することができる。そのため、選択された電圧調整設備を実際に操作することによって、各制御所での電力系統７の電圧値をより確実に目標電圧値に対応させることができる。
【００６５】
さらに、電圧調整システム１は、ロック機能６を備えているため、電圧調整機能４によって予測電圧値と目標電圧値とが対応するように電圧調整設備を操作する際に、制御所同士が互いに電圧調整設備の変圧器Ｔを操作し合うことを防止できる。従って、選択された電圧調整設備が実際に操作されたときに、各制御所での電力系統７の電圧値をより確実に目標電圧値に対応させることができる。
【００６６】
また、電圧調整システム１は、制御所で選択された電圧調整設備での電圧調整よりも効率良く電圧の調整を行うことができる電圧の調整方法を選出して実行する先行調整機能３を備えているため、各制御所での電力系統７電力系統の電圧値をより確実に目標電圧値に対応させつつ、効率良く電圧の調整を行うこともできる。
【００６７】
尚、本発明の電圧調整システムは、上記の実施形態に限定されるものではなく、本発明の要旨を逸脱しない範囲において種々変更を行うことは勿論である。
【００６８】
上記実施形態において、特に言及しなかったが、制御所から電圧調整設備を選択する方法としては、画面上に表示されたシンボルをクリックする等の方法を採用することができる。
【００６９】
また、上記実施形態において、電圧調整機能４は、予測電圧値と目標電圧値とが対応するように電圧調整設備を操作するようになっていたが、より具体的に説明すると、電圧調整機能４は、予測電圧値が目標電圧値を上回っていれば、電力系統の電圧値を降下させ、予測電圧値が目標電圧値を下回っていれば、電力系統の電圧値を上昇させるようになっている。
【００７０】
また、上記実施形態において、第一の変圧機能４１１、第二の変圧機能４１３、第三の変圧機能４２１のそれぞれは、変圧器Ｔを操作することで電力系統の電圧値を調整するようになっていたが、これに限定されるものではなく、例えば、調相設備（スタティックコンデンサＣ及びシャントリアクトルＲ）や、発電機Ｇを操作することで電力系統の電圧値を調整するようにすることができる。
【００７１】
また、このようにする場合、調相設備（スタティックコンデンサＣ及びシャントリアクトルＲ）と、変圧器Ｔと、発電機Ｇとから操作したいものを選択できるようにしてもよい。
【符号の説明】
【００７２】
１…電圧調整システム、２…電圧予測機能、３…先行調整機能、４…電圧調整機能、５…主調整機能、６…ロック機能、７…電力系統、３０…判断機能、３１…判断機能、３２…判断機能、３３…取消機能、３４…表示機能、３５…選択機能、４０…逸脱判定機能、４１…第一の電圧補正機能、４２…第二の電圧補正機能、５０…操作設備表示機能、５１…復帰機能、７１ａ…第一の制御所、７１ｂ…第二の制御所、７１ｃ…第三の制御所、３５０…承認機能、３５１…決定機能、４１０…再予測機能、４１１…第一の変圧機能、４１２…判定機能、４１３…第二の変圧機能、４２０…識別機能、４２１…第三の変圧機能、４２２…通知機能、Ａ１…区間、Ａ２…区間、Ａ３…区間、Ａ３…区間内、Ｃ…スタティックコンデンサ、Ｇ…発電機、Ｒ…シャントリアクトル、Ｔ…変圧器
【図１】
2014138471.tif 000003
【図２】
2014138471.tif 000004
【図３】
2014138471.tif 000005
【図４】
2014138471.tif 000006
【図５】
2014138471.tif 000007